(57)【要約】【課題】少ない部品点数で２本の管同士の接続が確実に行なえるようにした管接続具を提供する。【解決手段】一端側から適当長さ範囲に亘って内面に雌ねじ２が形成され、他端側から適当長さ範囲に亘って一端側に向って小径となるテーパー状に傾斜する凹部３が内面に形成されてなる雌型の環状継手部材１と、一端側から適当長さ範囲に亘って内面に雌ねじ６が形成され、他端側から適当長さ範囲に亘って一端側に向って大径となるテーパー状に傾斜する凸部７が外面に形成されてなる雄型の環状継手部材５とからなり、前記テーパー状の凸部７の外面にはＯリング１１が僅かに外方に突出するように嵌め込まれており、雌型の環状継手部材１の外面に雄型の環状継手部材５の外面に設けられた一対の連結ピン１２と係合する切り込み係合部１６を備えた締結金具１３がピン１５により枢結されている。【選択図】図５
2007292215.tif 000002
【特許請求の範囲】
【請求項１】
一端側から適当長さ範囲に亘って内面に雌ねじが形成され、他端側から適当長さ範囲に亘って一端側に向って小径となるテーパー状に傾斜する凹部が内面に形成されてなる雌型の環状継手部材と、一端側から適当長さ範囲に亘って内面に雌ねじが形成され、他端側から適当長さ範囲に亘って一端側に向って大径となるテーパー状に傾斜する凸部が外面に形成されてなる雄型の環状継手部材とからなり、前記テーパー状の凸部の外面にはＯリングが僅かに外方に突出するように嵌め込まれており、雌型の環状継手部材のテーパー状の凹部に雄型の環状継手部材のテーパー状の凸部が圧入された状態を保持するために雌型の環状継手部材の外面に雄型の環状継手部材の外面に設けられた一対の連結ピンと係合する切り込み係合部を備えた締結金具がピンにより枢結されていることを特徴とする管接続具。
【請求項２】
締結金具は１枚の金属板をほぼＵ字状に折り曲げて両端から直角に延設された突出片を雌型の環状継手部材の軸心方向中央部の外面の対向位置に雌型の環状継手部材を両側から挟むようにピンにより枢結し、またこの締結金具の切り込み係合部は雄型の環状継手部材の連結ピンの首部と係合するように締結金具の両端に形成されていることを特徴とする請求項１記載の管接続具。
【発明の詳細な説明】
【技術分野】
【０００１】
本発明は、２本の管同士を繋ぐための管接続具に関するものである。
【背景技術】
【０００２】
従来のこの種管接続具としては特許文献１に開示されているパッキン型管継手が知られている。この特許文献１に開示されている管継手は、接続する管の端部に外嵌して管同士を気密に接続する継手本体とパッキンとナット部材とからなる管継手において、前記継手本体は、中央部内面から順に接続管が挿通する貫通孔と、パッキンが装着される小径環状部と段部を有して大径環状部と、ナット部材が螺合する雌ねじとを有し、前記パッキンは、前記継手本体の小径環状部に装着できる環状のシール部と、前記大径環状部に装着してナット部材に押圧される環状の圧縮部と、該シール部と圧縮部の間に保持されて前記段部に係止するリテーナとを有し、前記パッキンの端部にカラーを装着して前記ナット部材を締付けることにより接続する構成となっている。
【特許文献１】特開平１１−２１０９５１号公報
【発明の開示】
【発明が解決しようとする課題】
【０００３】
上記許文献１に開示されている管継手の構成では、２本の管同士を繋ぐために継手本体、シール部と圧縮部とリテーナとからなる２つのパッキン、２つのカラー、２つのナット部材を必要とし、部品点数が多く、組み立て工数も多く、コストアップになるという問題があった。
【０００４】
本発明の目的は、このような課題を解決するものであり、少ない部品点数で２本の管同士の接続が確実に行なえるようにした管接続具を提供することにある。
【課題を解決するための手段】
【０００５】
本発明の請求項１に記載の管接続具は、一端側から適当長さ範囲に亘って内面に雌ねじが形成され、他端側から適当長さ範囲に亘って一端側に向って小径となるテーパー状に傾斜する凹部が内面に形成されてなる雌型の環状継手部材と、一端側から適当長さ範囲に亘って内面に雌ねじが形成され、他端側から適当長さ範囲に亘って一端側に向って大径となるテーパー状に傾斜する凸部が外面に形成されてなる雄型の環状継手部材とからなり、前記テーパー状の凸部の外面にはＯリングが僅かに外方に突出するように嵌め込まれており、雌型の環状継手部材のテーパー状の凹部に雄型の環状継手部材のテーパー状の凸部が圧入された状態を保持するために雌型の環状継手部材の外面に雄型の環状継手部材の外面に設けられた一対の連結ピンと係合する切り込み係合部を備えた締結金具がピンにより枢結されていることを特徴とする。
【０００６】
請求項２に記載の管接続具は、締結金具は１枚の金属板をほぼＵ字状に折り曲げて両端から直角に延設された突出片を雌型の環状継手部材の軸心方向中央部の外面の対向位置に雌型の環状継手部材を両側から挟むようにピンにより枢結し、またこの締結金具の切り込み係合部は雄型の環状継手部材の連結ピンの首部と係合するように締結金具の両端に形成されていることを特徴とする。
【発明の効果】
【０００７】
以上のように、本発明の管接続具は、雌型の環状継手部材と、その凹部に圧入される凸部を備えた雄型の環状継手部材と、雄型の環状継手部材の外面に設けられた一対の連結ピンと係合する切り込み係合部を備えた締結金具とからなるので、少ない部品点数で２本の管同士の接続を簡単な作業で確実に行なえ、コストダウンを図ることができる。
【発明を実施するための最良の形態】
【０００８】
以下、本発明の一実施の形態を、図１〜図５を用いて具体的に説明する。
図において、１は合成樹脂製の雌型の環状継手部材で、一端側から適当長さ範囲に亘って内面に雌ねじ２が形成されている。また、この雌型の環状継手部材１の他端側から適当長さ範囲に亘って一端側に向って小径となるテーパー状に傾斜する凹部３が内面に形成されている。そして、雌ねじ２の形成部と凹部３の形成部との間に継手部材１の内面側に突出する段部４が形成されている。５は合成樹脂製の雄型の環状継手部材で、一端側から適当長さ範囲に亘って内面に雌ねじ６が形成されている。また、この継手部材５の他端側から適当長さ範囲に亘って一端側に向って大径となるテーパー状に傾斜する凸部７が外面に形成されている。そして、継手部材５の他端側から適当長さ範囲に亘って形成される孔部８は内面がストレートな状態となっており、前記雌ねじ６の内径よりも孔部８の内径の方が僅かに小さくなっていて雌ねじ６と孔部８との境界に段部９が形成されている。さらに、前記テーパー状の凸部７の外面には継手部材５の軸心方向に向って凸部７の中央部に小さな凹溝部１０が形成されており、この凹溝部１０にはＯリング１１が凹溝部１０から僅かに外方に突出するように嵌め込まれている。このように構成された雄型の環状継手部材５はテーパー状の凸部７が雌型の環状継手部材１のテーパー状の凹部３に圧入されるとともにＯリング１１がテーパー状の凹部３の内面に圧接される。
【０００９】
ところで、本実施の形態では雌型の環状継手部材１のテーパー状の凹部３に雄型の環状継手部材５のテーパー状の凸部７が圧入された状態を保持するために雌型の環状継手部材１の軸心方向中央部の外面に雄型の環状継手部材５の一端近傍位置における外面に設けられた一対の連結ピン１２，１２と係合する締結金具１３が設けられている。締結金具１３は１枚の金属板をほぼＵ字状に折り曲げて両端から直角に延設された突出片１４，１４を雌型の環状継手部材１の軸心方向中央部の外面の対向位置に雌型の環状継手部材１を両側から挟むようにピン１５，１５により枢結し、またこの締結金具１３の両端には前記雄型の環状継手部材５の連結ピン１２，１２の首部１２ａ，１２ａと係合する切り込み係合部１６，１６が形成されている。１７は雄型の環状継手部材５の凸部７の最大径の端部位置において一方の連結ピン１２の位置と合うように環状継手部材５に埋設された位置決め用ボールであり、雌型の環状継手部材１には他端面に一方のピン１５の位置と合うように位置決め用ボール１７よりも僅かに大きな位置決め用切り欠き部１８が形成されている。
【００１０】
上記構成において、雌型の環状継手部材１の雌ねじ２に互いに接続される一方の管１９の外面雄ねじ部２０を螺入させ、また雄型の環状継手部材５の雌ねじ６に互いに接続される他方の管２１の外面雄ねじ部２２を螺入させ、その後位置決め用ボール１７と位置決め用切り欠き部１８を位置合わせした状態で雌型の環状継手部材１のテーパー状の凹部３に雄型の環状継手部材５のテーパー状の凸部７を圧入させ、雌型の環状継手部材１側の締結金具１３を回転させて両端の切り込み係合部１６，１６を雄型の環状継手部材５側の連結ピン１２，１２に両環状継手部材１，５同士を引き寄せる方向に力を掛けながら係合させる。これにより、２本の管１９，２１を繋ぐことができる。
【００１１】
なお、以上述べた実施の形態において、両環状継手部材１，５は合成樹脂製であるが、金属製であっても良い。
【図面の簡単な説明】
【００１２】
【図１】本発明の一実施の形態における管接続具の分解斜視図である。
【図２】同管接続具の断面図である。
【図３】同管接続具の両環状継手部材に管を螺入させた状態を示す正面図である。
【図４】同管接続具により２本の管を繋いだ状態を示す斜視図である。
【図５】同管接続具により２本の管を繋いだ状態を示す断面図である。
【符号の説明】
【００１３】
１      雌型の環状継手部材
２      雌ねじ
３      凹部
４      段部
５      雄型の環状継手部材
６      雌ねじ
７      凸部
８      孔部
９      段部
１０      凹溝部
１１      Ｏリング
１２      連結ピン
１２ａ    首部
１３      締結金具
１４      突出片
１５      ピン
１６      切り込み係合部
１７      位置決め用ボール
１８      位置決め用切り欠き部
１９      一方の管
２０      外面雄ねじ部
２１      他方の管
２２      外面雄ねじ部
【図１】
2007292215.tif 000003
【図２】
2007292215.tif 000004
【図３】
2007292215.tif 000005
【図４】
2007292215.tif 000006
【図５】
2007292215.tif 000007